(57)【特許請求の範囲】
【請求項１】
災害の発生を示す災害信号に基づいて所定の誘導制御信号を発生する制御盤と、前記誘導制御信号に基づいて所定の点滅パターン信号を発生する１乃至複数の制御ユニットと、災害発生時に前記点滅パターン信号に基づいて冷陰極放電灯を周期的に点滅することにより、人々を誘導する誘導照明器具とを備え、前記災害信号と無関係に前記誘導照明器具を試験的に動作させる点検手段を前記制御盤及び少なくとも一つの前記制御ユニットに設けるとともに、前記冷陰極放電灯のランプ電流又はランプ電圧に基づいて前記冷陰極放電灯の点灯状態を点検するランプ点灯検出手段を設け、前記災害信号と無関係に前記誘導照明器具を強制的に動作させる強制動作手段を前記制御盤及び少なくとも一つの前記制御ユニットに設け、前記制御ユニットが、前記制御盤に設けられた強制動作手段の操作よりも、前記制御ユニットに設けられた強制動作手段の操作を優先して動作することを特徴とする照明装置。
【請求項２】
前記制御盤或いは前記制御ユニットに設けられた強制動作手段を操作すると、前記誘導照明器具は所定の避難口に人々を誘導する点滅パターンで動作することを特徴とする請求項１記載の照明装置。
【発明の詳細な説明】
【０００１】
【発明の属する技術分野】
本発明は、誘導路に沿って連続的に配設された誘導照明器具を所定の順序で点滅させ、誘導照明器具の点滅の順序に応じた方向に人を誘導する照明装置に関するものである。
【０００２】
【従来の技術】
従来より、誘導路に連続的に配設された複数の誘導照明器具を所定の順序で点滅させることによって、点滅の順序に応じた方向に光が走行しているかのように視認させ（以下、この動作を「点滅走行」と呼ぶ。）、光の進む方向に人々を誘導する照明装置が提案されている（特開平５−１２０５７５号公報参照）。
【０００３】
この種の照明装置としては、図４に示すように、熱感知器や煙感知器等の感知器（図示せず）から入力される感知信号に基づいて、例えば火災が発生した場所を示す火災場所情報を発生する防災盤１と、防災盤１から入力された火災場所情報に基づいて最適な避難口を判断し、誘導照明器具４1 ，４2 ，４3 …、４4 ，４5 ，４6 …の点滅方向を含む誘導制御信号を発生する制御盤２と、制御盤２の誘導制御信号に基づいて、誘導照明器具４1 ，４2 ，４3 …、４4 ，４5 ，４6 …を所定の順序で点滅させる点滅パターン信号を誘導照明器具４1 ，４2 ，４3 …、４4 ，４5 ，４6 …に夫々送出する制御ユニット３1 ，３2 …とを備えたものがあった。制御ユニット３1 ，３2 …は例えば地下街の区画毎に設けられており、各区画内に配設されている誘導照明器具４1 ，４2 ，４3 …、４4 ，４5 ，４6 …の点滅状態を制御している。
【０００４】
ここで、防災盤１と制御盤２とは信号線７1 を介して接続される。また、制御盤２と各制御ユニット３1 ，３2 …とは信号線７2 を介してラダー状に接続される。さらに、制御ユニット３1 と誘導照明器具４1 ，４2 ，４3 …、制御ユニット３2 と誘導照明器具４4 ，４5 ，４6 …とは信号線７3 ，７4 を介してそれぞれラダー状に接続される。そして、各部の間では例えば時分割多重伝送信号を用いて信号の授受が行われる。
【０００５】
一般に、このような大規模の照明装置では、防災盤１との間で火災場所情報などの災害情報を授受して最適な避難口を判断し、各制御ユニット３1 ，３2 に誘導制御信号を送出する制御盤２と、制御盤２の誘導制御信号に基づいて誘導照明器具４1 ，４2 ，４3 …、４4 ，４5 ，４6 …に夫々点滅パターン信号を送出して点滅制御を行う制御ユニット３1 ，３2 …とを個別に設けている。このように、制御盤２と制御ユニット３1 ，３2 …とで制御を分担しているので、制御がやりやすくなる。また、制御盤２は防災盤１から入力される災害情報を一元的に管理しているので、災害状況の変化に応じて的確な誘導制御信号を発生することができる。
【０００６】
ところで、防災盤１と制御盤２とを接続する信号線７1 が断線した場合（図５中×印）、感知器から火災などの感知信号が防災盤１に入力されたとしても、防災盤１から制御盤２に火災の発生場所を示す火災場所情報が入力されないので、制御盤２は制御ユニット３1 …に誘導制御信号を出力することができず、誘導照明器具４1 ，４2 ，４3 …が点滅動作しない可能性があった。また、感知器が災害の発生を誤検知したり、防災盤１が誤動作した場合、制御ユニット３1 …が誘導照明器具４1 ，４2 ，４3 …を誤って点滅させるという可能性もあった。
【０００７】
そこで、防災盤１から制御盤２に入力される災害信号と無関係に誘導照明器具４1 ，４2 ，４3 …を強制的に動作又は停止させる強制動作手段を制御盤２に設けたものがあり、図５（ａ）に示すように、防災盤１と制御盤２とを接続する信号線７1 が断線した場合でも、防災センターで火災などの災害発生を監視する警備員が火事と判断して強制動作手段を操作し、誘導照明器具４1 ，４2 ，４3 …を予め設定された点滅パターンで強制的に点滅させることができた。
【０００８】
また、照明装置を試験的に動作させる点検手段が制御盤２に設けられたものもあり、この点検手段を操作して、誘導照明器具４1 ，４2 ，４3 …を所定の点滅パターンで試験的に点滅させることにより、誘導照明器具４1 ，４2 ，４3 …の動作を定期的に点検していた。
【０００９】
【発明が解決しようとする課題】
上述した前者の照明装置では、防災盤１と制御盤２とを接続する信号線７1 が断線して誘導照明器具４1 ，４2 ，４3 …が点滅動作しない場合でも、断線時には警備員が制御盤２に設けられた強制動作手段を操作して、制御盤２から制御ユニット３1 に所定の誘導制御信号を出力させ、誘導路５1 に配設された誘導照明器具４1 ，４2 ，４3 …を所定の誘導方向（図中矢印Ａ）で強制的に点滅走行させ、人々を避難口６に誘導することができた。
【００１０】
しかしながら、強制動作手段を用いて強制的に制御盤２を動作させた場合、誘導照明器具４1 ，４2 ，４3 …の誘導方向が予め決められているので、図５（ｂ）に示すように避難口６付近に火災が拡がり、この避難口６を用いて避難するのが危険な状態になっても、誘導照明器具４1 ，４2 ，４3 …の誘導方向は変わらず、人々を危険な方向に誘導してしまう可能性があった。
【００１１】
また、図６（ａ）に示すように、制御盤２が正常であれば、制御ユニット３1 …は制御盤２の誘導制御信号に基づいて誘導照明器具４1 ，４2 ，４3 …を所定の点滅パターンで点滅動作させることができるが、図６（ｂ）に示すように、制御盤２が故障すると、制御盤２から制御ユニット３1 …に誘導制御信号が入力されなくなり、誘導照明器具４1 ，４2 ，４3 …を点滅動作させることができなくなる（図中●印は消灯状態を示す）。ここで、強制動作手段は制御盤２のみに設けられているので、強制動作手段を用いて誘導照明器具４1 ，４2 ，４3 …を強制的に点滅動作させることもできず、この照明装置全体が動作しなくなるという問題もあった。
【００１２】
一方、この照明装置の動作を点検する場合は、まず制御盤２に設けられた点検手段を操作して誘導照明器具４1 ，４2 ，４3 …を試験的に動作させる。そして、制御盤２で各部の動作状態を確認し、制御ユニット３1 …或いは誘導照明器具４1 ，４2 ，４3 …で動作不良が発生した場合には、動作不良が発生した制御ユニット３1 …或いは誘導照明器具４1 ，４2 ，４3 …の配設場所に移動して、修理・点検を行う。その後、制御盤２の点検手段を用いて再度試験的に動作させ、制御盤２で各部の動作状態を確認する。この一連の点検作業を照明装置の各部が正常に動作するまで、繰り返し行っているので、点検作業に非常に手間がかかるという問題もあった。
【００１３】
本発明は上記問題点に鑑みて為されたものでもあり、請求項１の発明の目的は、制御盤の故障や、制御盤と制御ユニットとを結ぶ信号線の断線などの異常が発生した場合でも、人々を避難口へ確実に誘導することができる照明装置を提供することにある。
請求項２の発明の目的は、現場の状況に応じて誘導照明器具を強制的に点滅又は停止させることができる照明装置を提供することにある。
【００１４】
請求項３の発明の目的は、強制動作時に所定の避難口に誘導する点滅パターンで誘導照明器具を動作させることができる照明装置を提供することにある。
請求項４の発明の目的は、各部の動作点検を効率的に行える照明装置を提供することにある。
請求項５の発明の目的は、誘導照明器具の点灯状態を遠隔から自動的に点検することのできる照明装置を提供することにある。
【００１５】
【課題を解決するための手段】
請求項１の発明では、上記目的を達成するために、災害の発生を示す災害信号に基づいて所定の誘導制御信号を発生する制御盤と、誘導制御信号に基づいて所定の点滅パターン信号を発生する１乃至複数の制御ユニットと、災害発生時に点滅パターン信号に基づいて冷陰極放電灯を周期的に点滅することにより、人々を誘導する誘導照明器具とを備え、前記災害信号と無関係に前記誘導照明器具を試験的に動作させる点検手段を前記制御盤及び少なくとも一つの前記制御ユニットに設けるとともに、前記冷陰極放電灯のランプ電流又はランプ電圧に基づいて前記冷陰極放電灯の点灯状態を点検するランプ点灯検出手段を設け、前記災害信号と無関係に前記誘導照明器具を強制的に動作させる強制動作手段を前記制御盤及び少なくとも一つの前記制御ユニットに設け、前記制御ユニットが、前記制御盤に設けられた強制動作手段の操作よりも、前記制御ユニットに設けられた強制動作手段の操作を優先して動作することを特徴とし、制御ユニットに設けた点検手段を用いて、各制御ユニット単位で誘導照明器具の動作を点検することができ、且つ、ランプ点灯検出手段は、冷陰極放電灯のランプ電流又はランプ電圧に基づいて冷陰極放電灯の点灯状態を点検するので、目視によらず遠隔から不点検出を行うことができる。
【００１６】
そのうえ、災害信号と無関係に誘導照明器具を強制的に動作させる強制動作手段を制御盤及び少なくとも一つの制御ユニットに設けているので、制御盤の故障や、制御盤と制御ユニットを結ぶ信号線の断線などの異常が発生した場合でも、強制動作手段を用いて誘導照明器具を強制的に動作させることができる。
さらに、制御ユニットが、制御盤に設けられた強制動作手段の操作よりも、制御ユニットに設けられた強制動作手段の操作を優先して動作するので、現場の状況に応じて強制動作させることができる。
また請求項２の発明では、請求項１の発明において、制御盤或いは制御ユニットに設けられた強制動作手段を操作すると、誘導照明器具は所定の避難口に人々を誘導する点滅パターンで動作するので、確実に避難口に誘導することができる。
【００１９】
【発明の実施の形態】
本発明の実施の形態を図面を参照して説明する。
（基本構成）
まず本発明の照明装置の基本構成を図１に基づいて説明する。この照明装置は、熱感知器や煙感知器等の感知器（図示せず）から入力される感知信号を監視して、例えば火災の発生場所を示す火災場所情報などの災害情報を発生する防災盤１と、防災盤１に信号線７1を介して接続され、防災盤１の災害情報に基づいて、誘導照明器具４1，４2…，４4，４5…の点滅方向を含む誘導制御信号を発生する制御盤２と、制御盤２に信号線７2を介して接続され、制御盤２の誘導制御信号に基づいて誘導照明器具４1，４2…，４4，４5…を所定の点滅パターンで点滅制御する制御ユニット３1，３2…と、信号線７３，７４…を介して制御ユニット３1，３2…にそれぞれ接続される誘導照明器具４1，４2…，４4，４5…とから構成される。
【００２０】
例えば、制御ユニット３1 と誘導照明器具４1 ，４2 …、制御ユニット３2 と誘導照明器具４4 ，４5 …は、それぞれ、同一の区画に配設されている。制御ユニット３1 ，３2 は、それぞれ、誘導照明器具４1 ，４2 …、４4 ，４5 …を所定の順序で点滅させることによって、点滅の順序の方向に人々を導いている。
制御盤２には、防災盤１の火災場所信号と無関係に、全ての誘導照明器具４1 ，４2 …、４4 ，４5 …を強制的に動作（点滅或いは消灯）させる強制動作手段たる強制動作スイッチ（ＳＷ）２５を設けるとともに、制御ユニット３1 ，３2 …には、それぞれ、制御盤２の誘導制御信号と無関係に、誘導照明器具４1 ，４2 …、４4 ，４5 …を強制的に動作させる強制動作スイッチ３５1 ，３５2 …を設けている。なお、制御ユニット３1 ，３2 …は、制御盤２に設けられた強制動作スイッチ２５よりも、各制御ユニット３1 ，３2 …に設けられた強制動作スイッチ３５1 ，３５2 …の操作を優先して動作する。
【００２１】
ここで、各部が正常に動作している場合に、火災が発生した時の各部の動作について説明する。
制御盤２では、伝送インターフェイス部（以下、伝送Ｉ／Ｆ部と略す）２１が防災盤１から例えば時分割多重伝送信号を用いて送信された火災場所情報を受信すると、ＣＰＵ２２は、この火災場所情報に基づいてＲＯＭ２４から動作させる制御ユニット３1 ，３2 …のユニット番号や、誘導照明器具４1 ，４2 …、４4 ，４5 …の点滅パターンのパターン番号を含む誘導制御信号を読み込み、伝送Ｉ／Ｆ部２３がこの誘導制御信号を該当する制御ユニット３1 ，３2 …に送信する。
【００２２】
この誘導制御信号に含まれるユニット番号に該当する制御ユニット３1 ，３2 …のみが、伝送Ｉ／Ｆ部３１1 ，３１2 …を用いて、その誘導制御信号を受信する。そして、ＣＰＵ３２1 ，３２2 …は、伝送Ｉ／Ｆ部３１1 ，３１2 …が受信した誘導制御信号に含まれる点滅パターンのパターン番号に基づいて、対応する点滅パターン信号をＲＯＭ３４1 ，３４2 …から読み込み、伝送Ｉ／Ｆ部３３1 ，３３2 …を用いて各誘導照明器具４1 ，４2 …、４4 ，４5 …に点滅パターン信号を送信させる。
【００２３】
誘導照明器具４1 ，４2 …、４4 ，４5 …では、伝送Ｉ／Ｆ部３３1 ，３３2 …から送信された点滅パターン信号に基づいて、所定の点滅パターンで点滅走行動作を行い、人々を避難口へ誘導する。
次に、信号線７1 の断線等によって防災盤１と制御盤２との間に異常が発生した場合に、警備員が火災発生を判断して制御盤２に設けられた強制動作スイッチ２５を操作した場合の各部の動作を説明する。
【００２４】
制御盤２の強制動作スイッチ２５が操作されると、ＣＰＵ２２は強制動作スイッチ２５のスイッチ状態に基づいて、ＲＯＭ２４から全ての制御ユニット３1 ，３2 …のユニット番号と所定の点滅パターンのパターン番号とを含む誘導制御信号を読み込み、伝送Ｉ／Ｆ部２３を用いて全ての制御ユニット３1 ，３2 …へ誘導制御信号を送信する。
【００２５】
全ての制御ユニット３1 ，３2 …では、伝送Ｉ／Ｆ部３１1 ，３１2 …が該当するユニット番号の誘導制御信号を受信する。ＣＰＵ３２1 ，３２2 …は、伝送Ｉ／Ｆ部３１1 ，３１2 …が受信した誘導制御信号に含まれるパターン番号に基づいて、ＲＯＭ３４1 ，３４2 …から点滅パターン信号を読み込み、伝送Ｉ／Ｆ部３３1 ，３３2 …を用いて各誘導照明器具４1 ，４2 …、４4 ，４5 …に点滅パターン信号を送信する。
【００２６】
そして、各誘導照明器具４1 ，４2 …、４4 ，４5 …は、制御ユニット３1 ，３2 …から送信された点滅パターン信号に基づいて点滅走行動作を行う。
ここで、制御ユニット３1 ，３2 …は、制御盤２に設けられた強制動作スイッチ２５の操作よりも、各制御ユニット３1 ，３2 …に設けられた強制動作スイッチ３５1 ，３５2 の操作を優先して動作する。したがって、上述のように制御盤２に設けられた強制動作スイッチ２５を操作して、全ての避難口へ誘導するような点滅パターンで、誘導照明器具４1 ，４2 …、４4 ，４5 …を点滅させた後に、制御ユニット３1 及び誘導照明器具４1 ，４2 …が配設された区画の避難口に火災が広がって、この避難口を使用するのが危険な状態となった場合、制御ユニット３1 に設けられた強制動作スイッチ３５1 を操作して、当該区画に配設された誘導照明器具４1 ，４2 …のみ点滅動作を停止させ、この避難口への誘導を停止することができる。
【００２７】
一方、制御盤２に異常が発生した場合に、ある区画で火災が発生した時の各部の動作について説明する。
例えば制御ユニット３1 及び誘導照明器具４1 ，４2 …が配設された区画で火災が発生しても、制御盤２で異常が発生しているため、制御盤２から制御ユニット３1 に誘導制御信号が送出されず、誘導照明器具４1 ，４2 …は点滅動作しない。
【００２８】
そこで、火災と判断した警備員が制御ユニット３1 に設けられた強制動作スイッチ３５1 を操作すると、ＣＰＵ３２1 は強制動作スイッチ３５1 のスイッチ状態に基づいて、ＲＯＭ３４1 から所定の点滅パターン信号を読み込み、伝送Ｉ／Ｆ部３３1 を用いて誘導照明器具４1 ，４2 …に点滅パターン信号を送信する。各誘導照明器具４1 ，４2 …は制御ユニット３1 から送信された点滅パターン信号に基づいて、所定の点滅パターンで点滅走行動作を行い、予め決められた避難口へ人々を誘導する。
【００２９】
なお、全ての制御ユニット３１，３２…に強制動作スイッチ３５１，３５２を設ける必要はなく、必要な制御ユニット３１，３２…のみに強制動作スイッチ３５１，３５２…を設けてもよい。
（実施形態）
本実施形態では、図２に示すように、上述した基本構成の照明装置において制御盤２及び制御ユニット３１，３２…に点検手段たる点検スイッチ（ＳＷ）２７，３７１，３７２…をそれぞれ設けている。なお、点検スイッチ２７，３７１，３７２…以外の構成は実施形態１と同様であるので、その説明は省略する。
【００３０】
ところで、誘導照明器具４1 …は、図３に示すように、制御ユニット３1 …から信号線７3 …を介して例えば時分割多重伝送信号で送信された点滅パターン信号を受信する伝送Ｉ／Ｆ部４１と、伝送Ｉ／Ｆ部４１が受信した点滅パターン信号に基づいて冷陰極放電灯からなるランプ４４の点灯を制御する制御信号を発生するＣＰＵ４２と、ＣＰＵ４２からの制御信号に基づいてランプ４４を点灯させるインバータ部４３と、インバータ部４３とランプ４４との間に接続された抵抗Ｒと、ランプ４４が点灯しているか否かを検出するランプ点灯検出部４５と、個々の誘導照明器具４1 …のアドレスを設定するアドレス設定部４６とから構成される。
【００３１】
ランプ点灯検出部４５は抵抗Ｒに流れるランプ電流を測定し、ランプ電流の測定結果をＣＰＵ４２に出力する。ランプ４４の点灯時には、ランプ４４に接続された抵抗Ｒにランプ電流が流れるので、ＣＰＵ４２はランプ点灯検出部４５の測定結果からランプ４４が点灯しているか否かを判断することができる。したがって、人が目視でランプ４４の点灯状態を点検する代わりに、ランプ電流を測定することによって、遠隔から自動的にランプ４４の点検状態を点検することができる。なお、ランプ点灯検出部４５が、抵抗Ｒに電流が流れるか否かを検出するだけではなく、抵抗Ｒに流れる電流の電流値を検出すれば、ＣＰＵ４２はランプ４４の光量（輝度）レベルまで判断することができ、ランプ４４の輝度の劣化や、インバータ部４３の異常も検出することができる。なお、ランプ点灯検出部４５は、ランプ４４のランプ電流の代わりにランプ電圧を検出することによって、ランプ４４の点灯状態を検出してもよい。
【００３２】
次に、この照明装置の断線点検や不点点検について説明する。
まず、定期的に行われる信号線の断線点検について説明する。防災盤１は、信号線７1 を介して制御盤２に断線点検信号を定期的に送信する。制御盤２では、ＣＰＵ２２が伝送Ｉ／Ｆ部２１を介して防災盤１からの断線点検信号を受信すると、ＣＰＵ２２は伝送Ｉ／Ｆ部２３を用いて制御盤２と制御ユニット３1 ，３2 …との間の信号線７2 や、制御ユニット３1 ，３2 …と誘導照明器具４1 ，４2 …、４4 ，４5 …との間の信号線７3 ，７4 …の断線点検信号を各制御ユニット３1 ，３2 …へ送信する。
【００３３】
各制御ユニット３1 ，３2 …では、ＣＰＵ３２1 ，３２2 …が制御盤２から伝送Ｉ／Ｆ部３１1 ，３１2 を介して信号線７2 の断線点検信号をそれぞれ受信すると、ＣＰＵ３２1 ，３２2 …は伝送Ｉ／Ｆ部３１1 ，３１2 を介して所定の返送信号を制御盤２に返送する。制御盤２では、伝送Ｉ／Ｆ部２３が各制御ユニット３1 ，３2 …からの返送信号を受信し、各制御ユニット３1 ，３2 …から返送信号が返送されれば、制御盤２と各制御ユニット３1 ，３2 …とを結ぶ信号線７2 が正常であるとＣＰＵ２２は判断し、ある制御ユニットからの返送信号が返送されなければ、この制御ユニットと制御盤２とを接続する信号線７2 に何らかの異常が発生しているとＣＰＵ２２は判断する。そして、ＣＰＵ２２はＬＥＤやスピーカなどからなる表示部２６を用いて信号線７2 の点検結果を光や音声で表示する。
【００３４】
伝送Ｉ／Ｆ部３１1 ，３１2 …が、それぞれ、制御盤２から信号線７3 ，７4 …の断線点検信号を受信すると、ＣＰＵ３２1 ，３２2 …は、それぞれ、伝送Ｉ／Ｆ部３１1 ，３１2 …が受信した信号線７3 ，７4 …の断線点検信号に基づいて、伝送Ｉ／Ｆ部３３1 ，３３2 …から全ての誘導照明器具４1 ，４2 …、４4 ，４5 …へ断線点検信号を送信させる。各誘導照明器具４1 ，４2 …、４4 ，４5 …は断線点検信号を受信すると、所定の返送信号を各制御ユニット３1 ，３2 …の伝送Ｉ／Ｆ部３３1 ，３３2 へ返送する。そして、ＣＰＵ３２1 ，３２2 は、伝送Ｉ／Ｆ部３３1 ，３３2 が受信した返送信号から、制御ユニット３1 ，３2 …と各誘導照明器具４1 ，４2 …、４4 ，４5 …とを接続する信号線７3 , ７4 …が正常か否かを判断し、その結果をＬＥＤやスピーカなどからなる表示部３６1 ，３６2 …に光や音声で表示する。
【００３５】
次に、制御盤２に設けられた点検スイッチ２７を用いて断線点検や不点点検を行う場合について説明する。
制御盤２に設けられた点検スイッチ２７を操作すると、ＣＰＵ２２は、点検スイッチ２７のスイッチ状態に基づいて、伝送Ｉ／Ｆ部２３から各制御ユニット３1 ，３2 …へ、制御盤２と各制御ユニット３1 ，３2 …を接続する信号線７2 と各制御ユニット３1 ，３2 …と誘導照明器具４1 ，４2 …、４4 ，４5 …を接続する信号線７3 ，７4 …の断線点検信号と、各誘導照明器具４1 ，４2 …、４4 ，４5 …の不点点検信号とを送信させる。
【００３６】
信号線７2 ，７3 ，７4 …の断線点検時の、制御盤２及び制御ユニット３1 ，３2 …の動作については、上述と同様であるので、その説明は省略する。
伝送Ｉ／Ｆ部３１1 ，３１2 …が、それぞれ、制御盤２から誘導照明器具４1 ，４2 …、４4 ，４5 …の不点点検信号を受信すると、ＣＰＵ３２1 ，３２2 …は、伝送Ｉ／Ｆ部３３1 ，３３2 から全ての誘導照明器具４1 ，４2 …、４4 ，４5 …へ点検点灯信号を送信させる。
【００３７】
各誘導照明器具４1 …では、伝送Ｉ／Ｆ部４１が制御ユニット３1 ，３2 …からの点検点灯信号を受信すると、ＣＰＵ４２が点検点灯信号に基づいてインバータ部４３に制御信号を出力し、インバータ部４３がランプ４４を点灯させる。ＣＰＵ４２はランプ点灯検出部４５によって検出されたランプ４４のランプ電流の検出結果を、伝送Ｉ／Ｆ部４１から制御ユニット３1 ，３2 …へ返送させる。そして、制御ユニット３1 ，３2 …では、伝送Ｉ／Ｆ部３３1 ，３３2 が各誘導照明器具４1 ，４2 …、４4 ，４5 …から返送されたランプ電流の検出結果を受信して、ＣＰＵ３２1 ，３２2 …がこの検出結果を表示部３６1 ，３６2 …に表示させる。
【００３８】
次に、制御ユニット３1 ，３2 …に設けられた点検スイッチ３７1 ，３７2 …を用いて断線点検や不点点検を行う場合について説明する。
例えば、制御ユニット３1 に設けられた点検スイッチ３７1 を操作すると、ＣＰＵ３２1 は点検スイッチ３７1 のスイッチ状態に基づいて伝送Ｉ／Ｆ部３３1 から各誘導照明器具４1 ，４2 …に信号線７3 の断線点検信号と、ランプの点検点灯信号を送信させる。
【００３９】
各誘導照明器具４1 ，４2 …は断線点検信号を受信すると、所定の返送信号を制御ユニット３1 の伝送Ｉ／Ｆ部３３1 へ返送する。そして、ＣＰＵ３２1 は、伝送Ｉ／Ｆ部３３1 が受信した返送信号に基づいて、制御ユニット３1 と各誘導照明器具４1 ，４2 …とを接続する信号線７3 が正常か否かを判断し、その結果を表示部３６1 に表示させる。
【００４０】
また、各誘導照明器具４1 ，４2 …は制御ユニット３1 から点検点灯信号を受信すると、ＣＰＵ４２が点検点灯信号に基づいてインバータ部４３に制御信号を出力し、インバータ部４３がランプ４４を点灯させる。ＣＰＵ４２はランプ点灯検出部４５によって検出されたランプ４４のランプ電流の検出値を、伝送Ｉ／Ｆ部４１から制御ユニット３1 へ返送させる。そして、制御ユニット３1 では、伝送Ｉ／Ｆ部３３1 が各誘導照明器具４1 ，４2 …から返送されたランプ電流の検出結果を受信して、ＣＰＵ３２1 がこの検出結果を表示部３６1 に表示させる。
【００４１】
次に、点検スイッチ２７，３７1 ，３７2 を用いて誘導照明器具４1 ，４2 …、４4 ，４5 …の点滅パターン等の動作点検する場合について説明する。
制御盤２に設けられた点検スイッチ２７を用いて動作点検を行う場合、点検スイッチ２７を操作すると、ＣＰＵ２２は点検スイッチ２７のスイッチ状態に基づいてＲＯＭ２４から動作点検用の点滅パターンのパターン番号を読み込み、伝送Ｉ／Ｆ部２３から各制御ユニット３1 ，３2 …へ点滅パターンのパターン番号を含む誘導制御信号を出力する。各制御ユニット３1 ，３2 …では、伝送Ｉ／Ｆ部３１1 ，３１2 …が誘導制御信号を受信すると、ＣＰＵ３２1 ，３２2 …は誘導制御信号に含まれる点滅パターンのパターン番号に基づいて動作点検用に予め設定された点滅パターン信号をＲＯＭ３４1 ，３４2 …から読み込み、伝送Ｉ／Ｆ部３３1 ，３３2 …から各誘導照明器具４1 ，４2 …、４4 ，４5 …に点滅パターン信号を送信させる。そして、各誘導照明器具４1 ，４2 …、４4 ，４5 …はこの点滅パターン信号を受信すると、動作点検用の点滅パターンで点滅動作し、この点滅状態を人が目視で確認することにより、各誘導照明器具４1 ，４2 …、４4 ，４5 …が正常に動作しているか否かを点検する。
【００４２】
また、各制御ユニット３1 ，３2 …に設けられた点検スイッチ３７1 ，３７2 …を用いて誘導照明器具４1 ，４2 …、４4 ，４5 …の点滅パターン等の動作点検を行う場合、例えば制御ユニット３1 に設けられた点検スイッチ３７1 を操作すると、ＣＰＵ３２1 は点検スイッチ３７1 のスイッチ状態に基づいて、動作点検用に予め設定された点滅パターン信号をＲＯＭ３４1 から読み込み、伝送Ｉ／Ｆ部３３1 を用いて各誘導照明器具４1 ，４2 …へ動作点検用の点滅パターン信号を送信する。各誘導照明器具４1 ，４2 …はこの点滅パターン信号を受信すると、動作点検用の点滅パターンで点滅し、この点滅状態を人が目視で確認することにより、各誘導照明器具４1 ，４2 …が正常に動作しているか否かを点検する。
【００４３】
このように、制御盤１に比べて誘導照明器具４1 …に近い位置に配設された制御ユニット３1 …に点検スイッチ３７1 …を設けているので、各制御ユニット３1 …毎に動作点検を行うことができ、動作点検時に制御盤１と誘導照明器具４1 …との間を往復する必要がなくなり、動作点検を効率良く行うことができる。
【００４４】
【発明の効果】
請求項１の発明では、上記目的を達成するために、災害の発生を示す災害信号に基づいて所定の誘導制御信号を発生する制御盤と、誘導制御信号に基づいて所定の点滅パターン信号を発生する１乃至複数の制御ユニットと、災害発生時に点滅パターン信号に基づいて冷陰極放電灯を周期的に点滅することにより、人々を避難口へ誘導する誘導照明器具とを備え、災害信号と無関係に誘導照明器具を試験的に動作させる点検手段を前記制御盤及び少なくとも一つの前記制御ユニットに設けるとともに、前記冷陰極放電灯のランプ電流又はランプ電圧に基づいて前記冷陰極放電灯の点灯状態を点検するランプ点灯検出手段を設け、前記災害信号と無関係に前記誘導照明器具を強制的に動作させる強制動作手段を前記制御盤及び少なくとも一つの前記制御ユニットに設け、前記制御ユニットが、前記制御盤に設けられた強制動作手段の操作よりも、前記制御ユニットに設けられた強制動作手段の操作を優先して動作することを特徴とし、制御ユニットに設けた点検手段を用いて、各制御ユニット単位で誘導照明器具の動作を点検することができ、且つ、ランプ点灯検出手段は、冷陰極放電灯のランプ電流又はランプ電圧に基づいて冷陰極放電灯の点灯状態を点検するので、目視によらず遠隔から不点検出を行えるという効果がある。
【００４５】
そのうえ、災害信号と無関係に誘導照明器具を強制的に動作させる強制動作手段を制御盤及び少なくとも一つの制御ユニットに設けているので、制御盤の故障や、制御盤と制御ユニットを結ぶ信号線の断線などの異常が発生した場合でも、強制動作手段を用いて誘導照明器具を強制的に動作させることにより、確実に人を誘導することができるという効果がある。
さらに、制御ユニットが、制御盤に設けられた強制動作手段の操作よりも、制御ユニットに設けられた強制動作手段の操作を優先して動作する。制御ユニットは制御盤に比べて誘導照明器具に近い位置に配設されているので、火災の延焼など現場の状況変化に応じて誘導照明器具を動作させることができるという効果がある。
【００４６】
また請求項２の発明は、制御盤或いは制御ユニットに設けられた強制動作手段を操作すると、誘導照明器具は所定の避難口に人々を誘導する点滅パターンで動作するので、確実に避難口に誘導することができるという効果がある。
【図面の簡単な説明】
【図１】  本発明の基本構成を示すブロック図である。
【図２】  本発明の一実施形態のブロック図である。
【図３】  同上の誘導照明器具を示すブロック図である。
【図４】  従来の照明装置を示すブロック図である。
【図５】（ａ）（ｂ）は同上の動作を説明する説明図である。
【図６】（ａ）（ｂ）は同上の別の動作を説明する説明図である。
【符号の説明】
１  防災盤
２  制御盤
３1…  制御ユニット
４1…  誘導照明器具
２５，３５1…  強制動作スイッチ
【図１】
0003780595.tif 000002
【図２】
0003780595.tif 000003
【図３】
0003780595.tif 000004
【図４】
0003780595.tif 000005
【図５】
0003780595.tif 000006
【図６】
0003780595.tif 000007